(57)【要約】【目的】専門技術がなくても容易に取付が可能な分電盤を提供することを目的としている。【構成】分電盤には複数のブレーカを内装するボックスとボックス側部に接続端を臨ませ内部でブレーカに導電接続し識別を施された複数のコネクターとボックスを壁面に固定する前記コネクターとは独立したアタッチメント手段を含むようにした。【選択図】  図１
2004153930.tif 000002
【特許請求の範囲】
【請求項１】
複数のブレーカを内装するボックスとボックス側部に接続端を臨ませ内部でブレーカに導電接続し識別を施された複数のコネクターとボックスを壁面に固定する前記コネクターとは独立したアタッチメント手段を含むことを特徴とする分電盤。
【請求項２】
複数のブレーカを内装するボックスと複数のブレーカ端子からボックス外部に引出され先端にコネクターを接続されて識別を施された電線と壁面に固定するアタッチメント手段を含むことを特徴とする分電盤。
【請求項３】
一端を前記コネクターに接続して識別を施し，他端は切断してボックス内部の所定の場所に位置させた電線を含むことを特徴とする請求項１または２の分電盤。
【発明の詳細な説明】
【０００１】
【発明の属する技術分野】本発明は住宅に簡単に設置可能な分電盤に関する。
【０００２】
【従来の技術】図５は従来の分電盤の設置工事を表した図である。図において１は住宅の壁面，２は壁面内に引きまわされた複数の電線，３は壁面に開口された穴，４は複数のブレーカ５を内装する分電盤でカバー６を取り外した状態，７は分電盤を壁面に固定するためのビスである。
【０００３】以上の設置工事において，２の複数の電線は壁内を通過して天井や床下を這って必要な他の機器へ張り巡らされるよう予め配線され３の壁面開口から分電盤内に引き込まれて所定の複数の分岐ブレーカに接続するよう長さ余裕を持たせて延出されている。
【０００４】カバー６を外された状態の分電盤４は，その電線引込開口８から前記複数の電線２を分電盤内に引き込んだ状態で開口３を覆うよう壁面にあてがわれて，ビス７で壁面に固定される。その後，複数の電線２は所定のブレーカの端子部に向けて分電盤４の内部配線スペースを引きまわされ，適当な長で切断されブレーカ端子への接続部の被覆を取り除かれてブレーカ端子へ接続される。（例えば，特許文献１の図４は分電盤内への電線の引き込みを表している。）
【０００５】その後，壁面に固定された分電盤４にカバー６を取りつけて工事は完了する。なお，その後実際に住宅の入居者が電気を使用するまでには，前記住宅用分電盤に電力制限器を電力会社が別途取付工事を行う場合があるが，それは電力会社の負担工事となる。
【０００６】近年住宅等における電気工事は住宅のコスト削減のために簡素化が求められており分電盤の取付工事も簡素化されることが望ましい。しかし前述の方法による工事は複雑であって，壁内に電線を引き回す工程，壁面を加工する工程，壁面開口から電線を引出す工程，電線を切断加工する工程，分電盤内に電線を引き込む工程，分電盤を壁面に固定する工程，分電盤内で電線を引き回してブレーカに電線を接続する工程などそれぞれに専門技術を要する作業が必要になっている。
【０００７】そこで，分電盤と電線の接続をコネクターで行って工事の簡素化をはかろうとするものが発案されている。（例えば，特許文献１の請求の内容，および特許文献２の請求の内容）
【０００８】しかしながら，特許文献２は仮設工事用分電盤を幹線への電気的着脱が行えるようにしたもので，接続は幹線のみに限られており分電盤の負荷側への電線接続までは触れられていない。また，特許文献１による方法では，主幹ブレーカや分岐ブレーカなど複数のコネクターを分電盤の壁面への押し付けとともに一度に接続する必要がある。分電盤のブレーカの通電容量は数十アンペアと大きいので，ひとつのブレーカに対応するコネクターだけでも相当な挿入力が必要となり，一度に複数のコネクターを接続することは現実的でない。
【０００９】
【特許文献１】
特開２００１−９５１１３号公報  （図１〜図４）
【特許文献２】
特許２００２−１０４１４号公報  （図１，図２）
【００１０】
【発明が解決しようとする課題】
【００１１】そこで，本件発明は上述のような専門技術がなくても容易に取付が可能であって，しかも現実的に工事可能な分電盤を提供することを目的としている。
【００１２】
【課題を解決するための手段】
上述の課題を解決するため請求項１の発明は，複数のブレーカを内装するボックスとボックス側部に接続端を臨ませ内部でブレーカに導電接続し識別を施された複数のコネクターとボックスを壁面に固定する前記コネクターとは独立したアタッチメント手段を含むことを特徴とする分電盤を提供している。
【００１３】請求項２の発明は，複数のブレーカを内装するボックスと複数のブレーカ端子からボックス外部に引出され先端にコネクターを接続され識別を施された電線と壁面に固定するアタッチメント手段を含むことを特徴とする分電盤を提供している。
【００１４】請求項３の発明は，一端を前記コネクターに接続して識別を施し，他端は切断してボックス内部の所定の場所に位置させた電線を含むことを特徴とする請求項１または２の分電盤を提供している。
【００１５】
【発明の実施の形態】本発明の第１の実施例について図面を用いて以下に説明する。図１は本件発明の第一の実施例を用いた分電盤を説明する図である。ボックス１０１，主幹ブレーカ１０２，複数の分岐ブレーカ１０３￣１０６，接続導体１０７，表面側カバー１０８などで構成されている。１０９￣１１３はボックス１０１の側面部に接続部を露臨させて固定したコネクターで，それぞれボックス外部から認識できるようＭ，Ｂ１￣Ｂ４といったような識別を施されている。コネクター１０９￣１１３はそれぞれ電線１１５￣１１８に接続されていて，電線１１５￣１１８の他端はブレーカ１０３￣１０６の電線接続端子に接続されている。なお１１４の電線は他端をボックス１０１内の木板１１９位置付近で適当な長さに切断してある。
【００１６】１２０はボックスを壁面に固定するためのアタッチメント手段で，先に壁面に固定されたアタッチメント受け１２１などにワンタッチで嵌め合わされるようになっている。カバー１０８はボックス１０１に対してねじや嵌め合わせにより着脱可能である。なお，前述のボックス１０１やカバー１０８には，内部から電線や充電部が露出するような穴はないようにしてある。
【００１７】以上のような分電盤１００は，図２のようにして壁面に取付られる。分電盤に接続する電線２０１￣２０５は予め先端に分電盤同様に識別を施されたコネクター２０６〜２１０が接続されて，分電盤取付位置近傍まで例えば天井から配線されているものとする。以上のような状態においてその取付工程はまず，ａ．分電盤の壁面取付位置にアタッチメント受け１２１をねじ１２２などで取り付けておく。ｂ．次に必要に応じてダクトケース３０１をねじなどで壁面に取り付ける。ｃ．次に分電盤１００をアタッチメント受け１２１に対しアタッチメント手段１２０を押し込んで固定する。ｄ．次に電線２０１￣２０５のコネクター２０６〜２１０を識別に応じて分電盤１００側のコネクター１０９￣１１３に接続していく。ｅ．最後にダクトカバー３０２を前記のダクトケース３０１にねじなどで取りつけて終了する。
【００１８】なお，ｃとｄの工程は入れ替わってもよく，またダクトケース３０１はアタッチメント受け１２１と一体化されていてもよい。さらにダクトケース３０１とダクトカバー３０２はなくても差し支えない。なぜなら，図の分電盤１００のコネクター取付面を天井面に突き合わせてしまえば天井面で電線２０１〜２０５は隠れてしまうからでそのような取付も考えられるからである。そのうえ住宅壁面が別途工場で規格化されて生産されるような形式ではアタッチメント受け１２１も壁面に予め成形してあれば特別に設ける必要もなく，工場で予め取りつけておく方法もある。
【００１９】以上で分電盤の取付工事は終了するが，前述の図１に示す１１４の電線については１２２の電線とともに分電盤の取付工事終了後，電力会社が電流制限器（契約用ブレーカ）を木板１１９に取付る際に先端を切断し被覆を剥いで電流制限器端子に接続するものである。電力会社によっては前記の電流制限器を必要としない場合があるので，その場合は図１の１１４の電線はブレーカ１０２の電線接続端子に予め接続しておけばよい。
【００２０】図３は，本件発明による第２の実施例の図である。前述の第１の実施例に比較して異なる箇所はボックス４０１の側面にはコネクターが取りつけられておらず，電線４０２￣４０６がボックス４０１から外部に引出されていてその先端にコネクター４０７￣４１１が接続されていることである。なお識別（図のＭ，Ｂ１〜Ｂ４）は電線かコネクターに成される。
【００２１】第２の実施例では，図４のように取付られるが，取り付け順序などは第１の実施例の取付（図３）とほぼ同じである。強いて差異を述べれば屋内にすでに配線されている電線５０１￣５０５は，そのコネクター５０６￣５１０を図１のボックス１０１のコネクター１０９￣１１３に接続するのでなく，電線４０２￣４０６のコネクター４０７￣４１１に接続するというところが異なるものである。
【００２２】ところで，電線２０１￣２０５，５０１〜５０５は現場でコネクター２０６￣２１０，５０６〜５１０に接続されるのではなく，別途工場などで予め加工されて現場に持ち込まれるものである。
【００２３】また，以上の図１〜図４の説明において分電盤１００，４００やダクト３０１，３０２は壁面の上に飛出して取り付くような印象で説明したが，必要に応じて壁面に凹みをつけて，表面が壁面と同一になるようにしても差し支えない。
【００２４】さらにコネクターや電線の分電盤への取付側面は上述の例では天井側の側面としたが，表面以外であれば横側面，底側面，背面側面であっても差し支えない。使用するコネクターは多極で電極同志が接続された後に雄雌がねじにより一括して締結されるものを想定して図示したが，識別が施されていれば電線１極毎でもよいし，適宜複数のブレーカ毎にまとめたようなものでもよい。締結もねじ方式でなく抜け止めが施された差込み式のものでも差し支えない。１１５〜１１８，４０２〜４０６の電線は多心のケーブル状のもので図示してあるが，単心の電線でも差し支えない。
【００２５】
【効果】以上のように本件発明の分電盤によれば，取付作業者は分電盤のカバーを取り外すことなく分電盤内部の機能や配線を意識することなく分電盤をひとつのユニットとして扱えるとともに，分電盤の壁への固定はアタッチメント手段によりコネクターの接続とは独立してワンタッチで容易に行える。しかも電線は現場で分電盤内部に引き込むことなく，また電線をブレーカに接続するための切断や被覆を除去するなどの作業も不要で，電線の接続は分電盤の外部で，しかもどの電線をどのブレーカに接続するかというような知識も必要なく識別に合わせてコネクター同志を嵌め合わせればよい。したがって専門知識も技術も必要とせず，しかも電線接続と分電盤の壁面への固定は独立して行えるので取付も特別な力も必要なく現実的に行えるものである。
【図面の簡単な説明】
【図１】本件第１の発明による分電盤の実施例。
【図２】同上，取付を説明した図。
【図３】本件第２の発明による分電盤の実施例。
【図４】同上，取付を説明した図。
【図５】従来の分電盤の取付工事の図。
【符号の説明】
１０１，４０１  分電盤ボックス（ケース）
１０２〜１０６  複数のブレーカ
１１４〜１１８，４０２〜４０６  電線
１０９〜１１３，４０７〜４１１  コネクター
１２０  アタッチメント手段
【図１】
2004153930.tif 000003
【図２】
2004153930.tif 000004
【図３】
2004153930.tif 000005
【図４】
2004153930.tif 000006
【図５】
2004153930.tif 000007